(57)【特許請求の範囲】
【請求項１】
髪が巻き付けられる巻付部を有するカーラー部と、
ヘアスタイリング剤を貯留する貯留部と、
前記貯留部から吐出される前記ヘアスタイリング剤を、前記巻付部に巻き付けられている髪に向けて吹き出すノズル部と、
を備え、
前記ノズル部及び前記カーラー部が前記貯留部と一体に設けられており、
前記ノズル部は、前記貯留部から吐出される前記ヘアスタイリング剤を吹き出す複数の吹出口を有し、
前記複数の吹出口には、第１吹出口と、前記第１吹出口よりも前記貯留部から遠い位置に配置されている第２吹出口と、が含まれ、
前記第２吹出口と前記巻付部に巻き付けられた髪との距離が、前記第１吹出口と前記巻付部に巻き付けられた髪との距離よりも短いヘアスタイリング剤塗布装置。
【請求項２】
前記第２吹出口の開口面積が、前記第１吹出口の開口面積よりも大きい請求項１に記載のヘアスタイリング剤塗布装置。
【請求項３】
前記ノズル部は、前記巻付部の内側に配置され、前記巻付部の外側に前記ヘアスタイリング剤を吹き出す請求項１又は２に記載のヘアスタイリング剤塗布装置。
【請求項４】
前記ノズル部は、前記巻付部から突出している突出部を有し、
前記突出部は、前記吹出口の位置を示す指標部を有している請求項３に記載のヘアスタイリング剤塗布装置。
【請求項５】
前記カーラー部は、前記貯留部に対して回転可能である請求項１から４のいずれか一項に記載のヘアスタイリング剤塗布装置。
【請求項６】
前記ノズル部は、前記カーラー部に対して回転可能である請求項１から５のいずれか一項に記載のヘアスタイリング剤塗布装置。
【請求項７】
前記ノズル部は、前記貯留部から吐出される前記ヘアスタイリング剤を前記吹出口に供給する流路を備え、
一の前記流路に対して、複数の前記吹出口が設けられている請求項１から６のいずれか一項に記載のヘアスタイリング剤塗布装置。
【請求項８】
前記貯留部は、前記ヘアスタイリング剤を貯留する貯留本体と、前記貯留本体から前記ヘアスタイリング剤を吐出する吐出部と、を有し、前記吐出部が前記貯留本体に対して押し込まれることによって前記吐出部から前記ヘアスタイリング剤が吐出されるように構成されており、
前記ノズル部は、一端部が前記吐出部に接続されており、
前記ノズル部が押し込まれることにより、前記ノズル部が前記カーラー部に対して摺動するとともに、前記ノズル部が前記吐出部を前記貯留本体に対して押し込む請求項１から７のいずれか一項に記載のヘアスタイリング剤塗布装置。
【請求項９】
ヘアスタイリング剤を貯留する貯留装置に装着して用いられるヘアスタイリング剤塗布用アタッチメントであって、
髪が巻き付けられる巻付部を有するカーラー部と、
前記貯留装置から吐出される前記ヘアスタイリング剤を、前記巻付部に巻き付けられている髪に向けて吹き出すノズル部と、
を備え、
前記ノズル部は、前記貯留装置から吐出される前記ヘアスタイリング剤を吹き出す複数の吹出口を有し、
前記複数の吹出口には、第１吹出口と、前記第１吹出口よりも前記貯留装置から遠い位置に配置される第２吹出口と、が含まれ、
前記第２吹出口と前記巻付部に巻き付けられた髪との距離が、前記第１吹出口と前記巻付部に巻き付けられた髪との距離よりも短いヘアスタイリング剤塗布用アタッチメント。
【請求項１０】
前記貯留装置に装着される装着部を更に備え、
前記カーラー部が前記装着部と一体に組み付けられ、且つ、前記カーラー部によって前記貯留装置からの前記ノズル部の脱落が規制される請求項９に記載のヘアスタイリング剤塗布用アタッチメント。
【請求項１１】
毛髪が巻き付けられる巻付部と、
毛髪用塗布剤を貯留する貯留部と、
前記貯留部から吐出される前記毛髪用塗布剤を、前記巻付部に巻き付けられている毛髪に向けて吹き出すノズル部と、
を備え、
前記ノズル部及び前記巻付部が前記貯留部と一体に設けられており、
前記ノズル部は、貯留部から吐出される前記毛髪用塗布剤を吹き出す複数の吹出口を有し、
前記複数の吹出口には、第１吹出口と、前記第１吹出口よりも前記貯留部から遠い位置に配置されている第２吹出口と、が含まれ、
前記第２吹出口と前記巻付部に巻き付けられた毛髪との距離が、前記第１吹出口と前記巻付部に巻き付けられた毛髪との距離よりも短い毛髪用塗布剤塗布装置。
【発明の詳細な説明】
【技術分野】
【０００１】
本発明は、ヘアスタイリング剤塗布装置、ヘアスタイリング剤塗布用アタッチメント、ヘアスタイリング方法、及び、毛髪用塗布剤塗布装置に関する。
【背景技術】
【０００２】
カーラーを用いたヘアスタイリングに関し、特許文献１には、円筒形状のカーラー本体と、カーラー本体の内部に設けられた発熱体と、カーラー本体の内部に設けられていて発熱体に商用交流電圧を印加する受電ピンと、を備えるカーラーが記載されている。同文献のカーラーは、受電ピンに対して給電を行う給電ピンを備える加熱装置に装着されることによって、受電ピンを介して電圧が印加された発熱体が発熱し、カーラー本体が加熱されるようになっている。
【先行技術文献】
【特許文献】
【０００３】
【特許文献１】特開平９−２３９２０号公報
【発明の概要】
【発明が解決しようとする課題】
【０００４】
しかしながら、特許文献１のカーラーは、電力を用いて加熱して用いる必要があるため、スタイリングに手間が掛かるとともに、電力も必要であり、且つ、髪が熱によりダメージを受ける。
【０００５】
本発明は、上記の課題に鑑みなされたものであり、より手軽にヘアスタイリングを行うことが可能なヘアスタイリング剤塗布装置、ヘアスタイリング剤塗布用アタッチメントに関する。
また、本発明は、新規なヘアスタイリング方法及び毛髪用塗布剤塗布装置に関する。
【課題を解決するための手段】
【０００６】
本発明は、髪が巻き付けられる巻付部を有するカーラー部と、ヘアスタイリング剤を貯留する貯留部と、前記貯留部から吐出される前記ヘアスタイリング剤を、前記巻付部に巻き付けられている髪に向けて吹き出すノズル部と、を備え、前記ノズル部及び前記カーラー部が前記貯留部と一体に設けられているヘアスタイリング剤塗布装置を提供するものである。
【０００７】
また、本発明は、ヘアスタイリング剤を貯留する貯留装置に装着して用いられるヘアスタイリング剤塗布用アタッチメントであって、髪が巻き付けられる巻付部を有するカーラー部と、前記貯留装置から吐出される前記ヘアスタイリング剤を、前記巻付部に巻き付けられている髪に向けて吹き出すノズル部と、を備えるヘアスタイリング剤塗布用アタッチメントを提供するものである。
【０００８】
また、本発明は、カーラーの周囲に髪を巻き付ける工程と、前記カーラーに巻き付けられている髪に向けて、前記カーラーの内側からヘアスタイリング剤を吹き出す工程と、を含むヘアスタイリング方法を提供するものである。
【０００９】
また、本発明は、毛髪用塗布剤を貯留する貯留部と、前記貯留部から吐出される前記毛髪用塗布剤を吹き出すノズル部と、前記毛髪用塗布剤の塗布対象となる毛髪に対する前記ノズル部の位置合わせを行うためのガイド部と、を備え、前記ノズル部は、前記貯留部から吐出される前記毛髪用塗布剤を吹き出す複数の吹出口を有し、前記複数の吹出口には、第１吹出口と、前記第１吹出口よりも前記貯留部から遠い位置に配置されている第２吹出口と、が含まれ、前記第２吹出口と前記ガイド部との距離が、前記第１吹出口と前記ガイド部との距離よりも短い毛髪用塗布剤塗布装置を提供するものである。
【発明の効果】
【００１０】
本発明によれば、より手軽にヘアスタイリングを行うことが可能となる。
また、本発明によれば、新規なヘアスタイリング方法を行うことができる。
また、本発明によれば、より均一に毛髪用塗布剤を吹き付けることができる。
【図面の簡単な説明】
【００１１】
【図１】第１の実施形態に係るヘアスタイリング剤塗布装置の全体斜視図である。
【図２】第１の実施形態に係るヘアスタイリング剤塗布装置の分解斜視図である。
【図３】第１の実施形態に係るヘアスタイリング剤塗布装置を示す図であり、このうち（ａ）は図１の矢印Ａ方向から視た側面図、（ｂ）は図１の矢印Ｂ方向から視た側面図である。
【図４】図３（ａ）のＩＶ−ＩＶ線に沿った断面図である。
【図５】第１の実施形態に係るヘアスタイリング剤塗布装置を示す図であり、このうち（ａ）は図３（ａ）のＡ−Ａ線に沿った断面図であり、（ｂ）は図３（ｂ）のＢ−Ｂ線に沿った断面図である。
【図６】第１の実施形態に係るヘアスタイリング剤塗布装置のカーラー部を示す図であり、このうち（ａ）は斜視図、（ｂ）は（ａ）のＢ−Ｂ線に沿った断面図、（ｃ）はカーラー部を先端側から軸方向に視た図、（ｄ）はカーラー部を基端側から軸方向に視た図である。
【図７】第１の実施形態に係るヘアスタイリング剤塗布装置のノズル部を示す図であり、このうち（ａ）は斜視図、（ｂ）は図５（ａ）と同じ位置での断面図、（ｃ）は図５（ｂ）と同じ位置での断面図である。
【図８】第１の実施形態に係るヘアスタイリング剤塗布装置のノズル部を構成するノズルカバーを示す図であり、このうち（ａ）は図３（ａ）と同じ方向から視た側面図、（ｂ）は図３（ｂ）と同じ方向から視た側面図、（ｃ）は（ａ）のＣ−Ｃ線に沿った断面図、（ｄ）は（ｂ）のＤ−Ｄ線に沿った断面図、（ｅ）はノズルカバーを先端側から軸方向に視た図、（ｆ）は斜視図である。
【図９】第１の実施形態に係るヘアスタイリング剤塗布装置のノズル部を構成するノズルコアを示す図であり、このうち（ａ）は図３（ａ）と同じ方向から視た側面図、（ｂ）は図３（ｂ）と同じ方向から視た側面図、（ｃ）はノズルコアを先端側から軸方向に視た図、（ｄ）はノズルコアを基端側から軸方向に視た図、（ｅ）は斜視図である。
【図１０】第１の実施形態に係るヘアスタイリング剤塗布装置のノズル部を構成するノズルボタンを示す図であり、このうち（ａ）は図３（ａ）と同じ方向から見た側面図、（ｂ）は斜視図、（ｃ）は基端側から軸方向に視た図である。
【図１１】第１の実施形態に係るヘアスタイリング剤塗布装置のノズル部を貯留部側に押し込んだ状態を示す図であり、このうち（ａ）はヘアスタイリング剤塗布装置を図３（ｂ）と同じ向きに視た側面図、（ｂ）は図５（ｂ）と同じ位置での断面図である。
【図１２】第１の実施形態に係るヘアスタイリング剤塗布装置のノズル部の吹出口の配置と大きさについて説明するための、ノズルカバー及びノズルコアの断面図である。
【図１３】第１の実施形態に係るヘアスタイリング剤塗布装置のノズル部の各吹出口とカーラー部の巻付部との位置関係を説明するための図であり、このうち（ａ）は図１２のＡ−Ａ線に沿った断面図、（ｂ）は図１２のＢ−Ｂ線に沿った断面図、（ｃ）は図１２のＣ−Ｃ線に沿った断面図、（ｄ）は図１２のＤ−Ｄ線に沿った断面図である。
【図１４】第１の実施形態に係るヘアスタイリング剤塗布装置の使用状態を示す図であり、このうち（ａ）は使用者の斜め前方から視た斜視図、（ｂ）は側面図である。
【図１５】第１の実施形態に係るヘアスタイリング剤塗布装置の使用状態を示す模式図であり、ヘアスタイリング剤塗布装置については、カーラー部及びノズル部を軸方向に対して直交する平面で切断した断面を示す。
【図１６】第２の実施形態に係るヘアスタイリング剤塗布装置の断面図である。
【図１７】第３の実施形態に係るヘアスタイリング剤塗布装置の断面図である。
【図１８】第４の実施形態に係るヘアスタイリング剤塗布装置を示す図であり、このうち（ａ）は側面図、（ｂ）はノズル部を軸方向に沿って切断した断面図である。
【図１９】第４の実施形態に係るヘアスタイリング剤塗布装置の使用状態を示す図であり、ヘアスタイリング剤塗布装置については、カーラー部及びノズル部を軸方向に対して直交する平面で切断した断面を示す。
【図２０】ノズルの吹出口の形状のバリエーションを説明するための断面図である。
【発明を実施するための形態】
【００１２】
以下、本発明の実施形態について、図面を用いて説明する。なお、すべての図面において、同様の構成要素には同一の符号を付し、重複する説明は適宜に省略する。
【００１３】
〔第１の実施形態〕
先ず、図１から図１５を用いて第１の実施形態を説明する。
図１から図５のいずれかに示すように、本実施形態に係るヘアスタイリング剤塗布装置１００は、髪が巻き付けられる巻付部１３を有するカーラー部１０と、ヘアスタイリング剤を貯留する貯留部２０と、貯留部２０から吐出されるヘアスタイリング剤を巻付部１３に巻き付けられている髪に向けて吹き出すノズル部３０と、を備えている。そして、ノズル部３０及びカーラー部１０が貯留部２０と一体に設けられている。
なお、以下の説明では、カーラー部１０及びノズル部３０について、貯留部２０に近い側（図３（ａ）、（ｂ）において下側）を基端側、貯留部２０から遠い側（図３（ａ）、（ｂ）において上側）を先端側と称する。また、基端側から先端側に向かう方向、及び、先端側から基端側に向かう方向を、軸方向と称する。つまり、後述する軸受け部３５側（貯留本体２１側）から押圧部３４側に向かう方向が軸方向であり、押圧部３４側から軸受け部３５側（貯留本体２１側）に向かう方向も軸方向である。
【００１４】
ヘアスタイリング剤（以下、単にスタイリング剤と称する場合がある）は、特に限定されず、ブロー・カーラー用スタイリング剤、ヘアスプレー、ヘアミスト、ヘアウォーター、ヘアオイル、ヘアクリーム（ヘアミルク）などとすることができる。
スタイリング剤は、泡状となって貯留部２０から吐出されるものであっても良いし、非泡状の液状で貯留部２０から吐出されるものであっても良い。
【００１５】
貯留部２０は、内部に貯留されたスタイリング剤をエアゾールとして吐出するものであっても良いし、ミスト状にして吐出するものであっても良いし、泡状にして吐出するものであっても良いし、エアゾールでもミストでも泡でもない液状で吐出するものであっても良い。
【００１６】
貯留部２０は、例えば、図２に示すように、ヘアスタイリング剤を貯留している貯留本体２１と、貯留本体２１からヘアスタイリング剤を吐出する吐出部２３と、を備えている。
本実施形態では、貯留本体２１は缶であり、貯留本体２１の内部には、圧縮ガスとともにスタイリング剤が充填されている。吐出部２３は、管状のノズルであり、貯留本体２１の一端から突出している。
吐出部２３を貯留本体２１の内部側に押し込むことにより、吐出部２３の基端側に設けられている図示しない吐出弁が開状態となり、スタイリング剤が吐出部２３を介してエアロゾルとして吐出される。すなわち、貯留部２０はヘアスプレー容器（ヘアスプレー缶）である。吐出部２３に対する押し込み操作が解除されると、吐出部２３が元の位置に復帰（先端側に突出）するとともに、吐出弁が閉状態に戻り、スタイリング剤の吐出が終了する。
貯留本体２１の一端の外周部には、リング状の固定部２２が設けられている。本実施形態の場合、固定部２２は、貯留本体の胴部を構成する金属材に対して、貯留本体２１の一端面を構成する金属部材を周回状に巻き締め固定することによって形成された巻き締め部である。
【００１７】
ただし、このようなスプレー式の貯留部２０は一例であり、本発明において、貯留本体２１が缶である場合に、吐出部２３からスタイリング剤がミスト状又は泡状に吐出されるようになっていても良い。
また、貯留本体２１には、貯留本体２１から吸引したスタイリング剤を押し込み操作によって泡状又はミスト状などの形態で吐出する機械ポンプ式の吐出ヘッドが設けられていてもよい。
更には、貯留部２０は、スクイズボトルであっても良い。この場合、貯留本体２１に対して圧搾操作を加えることにより、吐出部２３からスタイリング剤が泡状又はミスト状などの形態で吐出される。
【００１８】
カーラー部１０及びノズル部３０は、貯留部２０に対して固定的に装着されていても良いし、着脱可能に装着されていても良い。本実施形態の場合、カーラー部１０及びノズル部３０は、貯留部２０に対して着脱可能に装着されている。
より詳細には、貯留部２０の固定部２２に対してリング状の部材である固定リング７０（図２）が固定され、この固定リング７０に対してカーラー部１０の基端部の装着部１１が着脱可能に装着されるようになっている。
【００１９】
図２に示すように、固定リング７０は、例えば、リング状のリング本体７１と、リング本体７１の内周面に形成された嵌合溝７２と、を有している。図５（ａ）及び（ｂ）に示すように、嵌合溝７２に貯留部２０の固定部２２が嵌合するように、固定リング７０を固定部２２に外嵌することによって、固定リング７０が貯留部２０に装着されている。
図２に示すように、固定リング７０は、リング本体７１の外周面に形成されたネジ山７３と、リング本体７１の外周面においてネジ山７３よりも先端側の部分に形成されている係合凹部７４とを備えている。
【００２０】
一方、カーラー部１０の装着部１１の内周面には、固定リング７０のネジ山７３と螺合するネジ山１２が形成されており、ネジ山１２とネジ山７３とを螺合させることによって装着部１１を固定リング７０に装着できるようになっている。
更に、装着部１１の内面（後述する台状部１１ａにおける基端側の面）には、ネジ山１２とネジ山７３とが螺合した際に係合凹部７４に対して係合する係合凸部１９（図６（ｄ）、（ｂ））が形成されている。係合凹部７４と係合凸部１９とが係合することによって、装着部１１を固定リング７０から外す方向に回す際の抵抗力が増大するため、固定リング７０に対して装着されたカーラー部１０の脱落が抑制されるようになっている。
【００２１】
本実施形態の場合、カーラー部１０は筒状に形成されており、内部にノズル部３０が挿通される。すなわち、筒状のカーラー部１０の内部空間が、ノズル部３０を収容する収容空間となっている。
【００２２】
カーラー部１０は、図６（ａ）〜（ｄ）のいずれかの図に示されるように、固定リング７０に着脱可能に装着されるキャップである装着部１１と、装着部１１と一体に設けられているとともに周囲に髪が巻き付けられる巻付部１３と、を備えている。
装着部１１は、軸方向に短尺な円筒形状に形成されており、装着部１１の内周面には上記のようにネジ山１２が形成されている。これにより、装着部１１は雌ネジを構成している。
装着部１１の軸方向における一端部は、径方向内側に張り出した環状の板状に形成された台状部１１ａ（図１、図２）となっており、この台状部１１ａによって巻付部１３が支持されている。
【００２３】
巻付部１３は筒状に形成されており、巻付部１３の内部にノズル部３０が挿通される。巻付部１３は、装着部１１と同軸に配置されている。
巻付部１３は、巻付部１３の軸方向に対して平行に（したがって装着部１１の軸方向に対して平行に）延在する棒状の櫛歯支持部１６を複数備えている。各櫛歯支持部１６は、台状部１１ａから先端側に向けて延出している。
これら櫛歯支持部１６は、巻付部１３の軸周りに間欠的に配置されている。本実施形態の場合、６つの櫛歯支持部１６が、巻付部１３の軸心の周囲に等角度間隔で配置されている。各櫛歯支持部１６は、巻付部１３の軸心から等距離に配置されている。
各櫛歯支持部１６には、例えば、複数の櫛歯１５が一列に等間隔に並んで設けられている。櫛歯１５は先端が丸め形状に形成された先細の棒状の部分であり、櫛歯支持部１６から巻付部１３の径方向外方に突出している。
巻付部１３は、更に、櫛歯支持部１６の先端部に設けられた１つ又は複数の連結環１７を有している。連結環１７は、巻付部１３の軸心と同軸の円環状に形成されており、隣り合う櫛歯支持部１６どうしを連結している。
本実施形態の場合、巻付部１３は２つの連結環１７を有し、これら連結環１７は、巻付部１３の軸方向において相互に離間して配置されている。
ここで、巻付部１３は、隣り合う櫛歯支持部１６の対向間隔であって、且つ、２つの連結環１７のうち装着部１１の近くに配置されている方の連結環１７と装着部１１との対向間隔により構成された、複数の（例えば６つの）開口１４を有している。これら開口１４は、巻付部１３の内部空間（収容空間）と巻付部１３の外部空間とを相互に連通させている。
【００２４】
巻付部１３を構成する６つの櫛歯支持部１６のうち、複数の櫛歯支持部１６の各々の内面側には、巻付部１３の軸心方向に沿って延在する嵌合スライド溝１８が直線状に形成されている。嵌合スライド溝１８を有する複数の櫛歯支持部１６には、例えば、巻付部１３の軸心を挟んで互いに対向している一対又は複数対の櫛歯支持部１６が含まれている。
【００２５】
図３（ａ）等に示すように、ノズル部３０は、貯留部２０から吐出されるスタイリング剤をそれぞれ吹き出す吹出口３１を有している。ノズル部３０が有する吹出口３１の数は、単数（１つ）であっても良いが、複数であることが好ましい。
吹出口３１は、ノズル部３０の内部に形成された流路３７（図４、図５（ａ））を介して、吐出部２３と連通している。吐出部２３から吐出されたスタイリング剤は、流路３７を通って吹出口３１に到達し、吹出口３１から吹き出される。
また、ノズル部３０は、貯留部２０の吐出部２３が嵌入する軸受部３５を当該ノズル部３０の基端部に備えている。
【００２６】
ノズル部３０は、巻付部１３の内側に配置され、巻付部１３の外側にヘアスタイリング剤を吹き出す。すなわち、ノズル部３０の吹出口３１は、巻付部１３の開口１４を介して、巻付部１３の内側から外側にヘアスタイリング剤を吹き出すようになっている。
【００２７】
ノズル部３０は、巻付部１３の軸方向に長尺に形成されている。なお、巻付部１３の軸方向に対して直交するノズル部３０の断面形状は円形となっている。ノズル部３０は、巻付部１３と同軸に配置されている。なお、吹出口３１の向きは、ノズル部３０の径方向外向きとなっている。
【００２８】
ノズル部３０の先端部は、巻付部１３から突出した突出部３２となっている。図３（ａ）に示すように、突出部３２は、吹出口３１の位置を示す指標部３３を有している。
すなわち、ノズル部３０は、貯留部２０から吐出されるヘアスタイリング剤を吹き出す吹出口３１と、巻付部１３から突出している突出部３２と、を有し、突出部３２は、吹出口３１の位置を示す指標部３３を有している。
より詳細には、巻付部１３は筒状に形成されているとともに、巻付部１３の軸方向における一端部（基端部）が貯留部２０に装着されており、ノズル部３０の突出部３２は、巻付部１３の軸方向における他端部（先端部）から突出している。
【００２９】
ここで、吹出口３１は、ノズル部３０の周方向における特定位置に配置されている。より詳細には、ノズル部３０の周面には、吹出口３１が２列に配置されており、これら２つの列は、ノズル部３０の軸心を通る仮想平面上にそれぞれ位置している。すなわち、吹出口３１の一つ目の列と二つ目の列とは、ノズル部３０の軸心を挟んで互いに対向位置に配置（１８０度間隔で配置）されている。
各列に含まれる吹出口３１の数は特に限定されないが、２以上５以下であることが好ましい。
本実施形態では、各列に含まれる吹出口３１の数が４である例を示している。
【００３０】
なお、ここでは吹出口３１が２列に設けられている例を示しているが、吹出口３１の列は３列以上であることも好ましい。ただし、吹出口３１は１列であっても良い。
また、吹出口３１は、必ずしも列を構成していなくても良い。
【００３１】
指標部３３は、例えば、突出部３２の周面に形成されている複数の突起により構成されている。より詳細には、突出部３２の周面には、ノズル部３０の軸心を挟んで互いに対向位置に配置された（１８０度間隔で配置された）２つの指標部３３が設けられている。２つの指標部３３のうちの一方は、ノズル部３０の軸心周りにおいて、吹出口３１の一つ目の列と同じ回転角度の位置に配置されており、２つの指標部３３のうちの他方は、ノズル部３０の軸心周りにおいて、吹出口３１の二つ目の列と同じ回転角度の位置に配置されている。
使用者は、触覚により、突出部３２における指標部３３の位置、ひいては吹出口３１の位置を判別することができる。よって、巻付部１３に髪を巻き付けた際に、吹出口３１から所望の方向にスタイリング剤が吹き出されるように、吹出口３１の位置を容易に調節することができる。
なお、指標部３３は、使用者が触覚で感知できる形状であればよく、突起に限らず凹みであってもよいし、突起と凹みとを含んで構成されていてもよい。
【００３２】
ノズル部３０は、より詳細には、例えば、図７に示すように、ノズルカバー４０と、ノズルコア５０と、ノズルボタン６０と、の３つの部材を相互に組み付けることによって構成されている。
【００３３】
ノズルカバー４０は、ノズル部３０の先端部を除く部分の外形を構成する部材である。
図８（ａ）〜（ｆ）のいずれかの図に示されるように、ノズルカバー４０は、中空形状のカバー本体４１と、一対のカバー側リブ４２と、を備えている。
【００３４】
カバー本体４１の軸心は、ノズル部３０の軸心と一致している。
カバー本体４１の軸心に対して直交する断面において、カバー本体４１の内周面及び外周面は円形であり、カバー本体４１の内周面及び外周面は、先端側に向けて拡径している。カバー本体４１の基端部の内周面及び外周面はすり鉢状に形成されており、カバー本体４１の他部（基端部を除く部位）の内周面及び外周面は先端側に向けてテーパー状に拡径している。カバー本体４１の先端は開口している。
【００３５】
一対のカバー側リブ４２は、カバー本体４１の外面から径方向外方に起立しており、且つ、カバー本体４１の軸心方向に沿って延在している。カバー本体４１の軸心方向において、カバー側リブ４２の先端位置は、カバー本体４１の先端位置と一致している。また、カバー側リブ４２の基端位置は、カバー本体４１の基端位置よりも先端側に位置しており、例えば、カバー本体４１の上記すり鉢状の部分とテーパー状の部分との境界に位置している。
より詳細には、一対のカバー側リブ４２は、カバー本体４１の軸心を通る共通の仮想平面上に位置している。
カバー側リブ４２の延在方向における全域に亘り、カバー本体４１の外面からのカバー側リブ４２の起立方向先端縁までの距離が一定となるように、カバー本体４１の外面からのカバー本体４１の起立高さは、ノズルカバー４０の基端側から先端側に向けて徐々に縮小している。
【００３６】
カバー本体４１の基端には、カバー本体４１と同軸の筒状の軸受部３５が設けられている。軸受部３５の内部空間は、連通孔３６を介して、カバー本体４１の内部空間と連通している。
カバー本体４１には、カバー本体４１の内外を貫通する複数の吹出口３１が２列に形成されている。このうち一つ目の列の複数の吹出口３１と、二つ目の列の複数の吹出口３１とは、カバー本体４１の軸心を通る共通の仮想平面上に位置している。
カバー本体４１の内面には、流路３７を構成する一対の流路構成溝４３が形成されている。各流路構成溝４３の基端は連通孔３６に連続している。一方の流路構成溝４３は、一つ目の列の複数の吹出口３１の各々に連続しており、他方の流路構成溝４３は、二つ目の列の複数の吹出口３１の各々に連続している。
一対の流路構成溝４３は、一つ目及び二つ目の列の複数の吹出口３１が配置されている上記仮想平面上に位置している。
ただし、一対のカバー側リブ４２が存在する仮想平面と、一対の流路構成溝４３（及び吹出口３１）が存在する仮想平面とは、互いに交差（例えば直交）している。
カバー本体４１の内面において、各流路構成溝４３の両脇の部分には、各流路構成溝４３に沿って延在する突条４４がそれぞれ形成されている。
カバー本体４１の先端側内面には、カバー本体４１の先端側を向く環状の段差面４５が形成されている
【００３７】
ノズルコア５０は、ノズルカバー４０の内部に挿入される部材であり、ノズルカバー４０のカバー本体４１と同軸に設けられる。
ノズルコア５０がノズルカバー４０の内部に挿入されることによって、ノズルカバー４０とノズルコア５０との間隙に流路３７（図７（ｂ））が形成されている。
図９（ａ）〜（ｅ）のいずれかの図に示されるように、ノズルコア５０は、ノズルカバー４０のカバー本体４１とほぼ相似形のコア本体５１を有している。コア本体５１の先端は開口している。
コア本体５１の先端部の外面には、ノズルコア５０の基端側を向く環状の段差面５５が形成されている。
コア本体５１において、段差面５５よりも下側の部分は、カバー本体４１と相似形に形成されており、カバー本体４１内に嵌入されている。このコア本体５１がカバー本体４１に嵌入された状態で、段差面５５が段差面４５に突き当たっている（図７（ｂ）、（ｃ））。
コア本体５１の外面には、ノズルカバー４０の各突条４４とそれぞれ嵌合する嵌合溝５４が形成されている。カバー本体４１に対するコア本体５１の嵌入は、各嵌合溝５４を各突条４４に対して位置合わせして行う。これにより、各突条４４と各嵌合溝５４とが嵌合し、ノズルコア５０がカバー本体４１に対して相対的に軸周りに回転することが規制されるとともに、流路の密閉性が確保される。
コア本体５１における段差面５５よりも先端側の部分は、カバー本体４１内に嵌入されずにカバー本体４１から先端側に突出する（図７（ｂ）、（ｃ））。
コア本体５１における段差面５５よりも先端側の部分の外面には、ノズルコア５０の軸心に対して平行に延在する一対の嵌合リブ５２が形成されている。
コア本体５１がカバー本体４１に嵌入されることによってノズルコア５０がノズルカバー４０に対して組み付けられた状態において、各嵌合リブ５２は、ノズルカバー４０の各カバー側リブ４２の延長上に位置するようになっている。
【００３８】
ノズルボタン６０は、ノズル部３０の先端部の外形を構成する部材である。
図１０（ａ）〜（ｃ）のいずれかの図に示されるように、ノズルボタン６０は、先端側が閉塞し、基端側が開口している中空のボタン本体６１を有している。ボタン本体６１はノズルカバー４０及びノズルコア５０と同軸に配置されている。
ボタン本体６１の外面には、一列に並ぶ複数の突起を含む突起群により構成された指標部３３が設けられている。
ノズルボタン６０の閉塞している先端部は、使用者による押圧操作を受ける押圧部３４を構成している。押圧部３４が押圧操作されることにより、ノズル部３０がカーラー部１０に対して相対的に基端側に摺動し、ノズル部３０が吐出部２３を貯留本体２１に対して押し込む。これにより、貯留部２０からスタイリング剤が吐出されるようになっている。
ボタン本体６１の基端部の外面には、ボタン本体６１の軸方向に延在する一対のボタン側リブ６２が形成されている。
各ボタン本体６１の内面において、各ボタン側リブ６２と対応する位置には、ボタン本体６１の軸方向に延在する嵌合溝６４が形成されている。つまり、ボタン本体６１の内面には一対の嵌合溝６４が形成されている。
ボタン本体６１の基端部の内面には、ボタン本体６１の基端側を向く環状の段差面６５が形成されている。
【００３９】
ノズル部３０の組み立ては、ノズルコア５０のコア本体５１をノズルカバー４０のカバー本体４１に嵌入した後、ノズルコア５０のコア本体５１において段差面５５よりも先端側の部分に対して、ノズルボタン６０のボタン本体６１を外嵌することによって行われる。
このような組み立てにより、図７（ａ）〜（ｃ）に示すノズル部３０が得られる。
【００４０】
ノズル部３０が組み立てられた状態において、ノズルボタン６０の各嵌合溝６４に対して、ノズルコア５０の各嵌合リブ５２が嵌合している。また、ノズルボタン６０の各ボタン側リブ６２がノズルカバー４０の各カバー側リブ４２の延長上に配置され、ボタン側リブ６２とカバー側リブ４２とによりひとまとまりの嵌合リブ３８が構成されている。
ノズル部３０において、コア本体５１の外周面は、カバー本体４１の内周面に対して密着しているが（図４参照）、カバー本体４１の内面には流路構成溝４３が形成されているため、コア本体５１とカバー本体４１との間に流路３７が形成されている。
軸受部３５の内部空間は、連通孔３６を介して２つの流路３７の各々に対して連通している。各流路３７に対応して、それぞれ複数の吹出口３１が設けられている。
すなわち、ノズル部３０は、貯留部２０から吐出されるヘアスタイリング剤を吹き出す吹出口３１と、貯留部２０から吐出されるヘアスタイリング剤を吹出口３１に供給する流路３７と、を備え、一の流路３７に対して、複数の吹出口３１が設けられている。
【００４１】
ノズル部３０及びカーラー部１０を貯留部２０に装着するには、先ず、固定部２２に固定リング７０を固定する一方で、ノズル部３０をカーラー部１０の内部に挿通する。この際に、ノズル部３０の一対の嵌合リブ３８をカーラー部１０の一対の嵌合スライド溝１８に対してそれぞれ嵌合させる（図４、図５（ｂ）参照）。
【００４２】
次に、カーラー部１０の装着部１１を固定リング７０に対して螺合させることによって装着し、且つ、ノズル部３０の軸受部３５に吐出部２３を嵌入させる。ここで、本実施形態の場合、嵌合リブ３８が嵌合スライド溝１８に嵌合しているため、ノズル部３０は、カーラー部１０に対して軸周りに相対回転せず、カーラー部１０と一体に回転する。ただし、円筒状の軸受部３５は吐出部２３に対して回転できるため、軸受部３５は吐出部２３に対して回転しながら吐出部２３を徐々に受け容れることができる。
【００４３】
カーラー部１０の装着部１１を固定リング７０に対して装着し、且つ、ノズル部３０の軸受部３５に吐出部２３を嵌入させることにより、カーラー部１０が固定リング７０を介して貯留部２０に装着されるとともに、ノズル部３０がカーラー部１０と貯留部２０とによって保持された状態となる。
この状態では、カーラー部１０に対して相対的にノズル部３０が先端側に移動してノズル部３０がカーラー部１０から脱落することは、カーラー部１０によって規制される。つまり、カーラー部１０の嵌合スライド溝１８の先端縁に位置するストッパ部１８ａ（図６（ａ）、（ｂ）、（ｄ）、図５（ｂ））によって、ノズル部３０の嵌合リブ３８の先端３８ａ（図７（ａ）、図５（ｂ））が先端側に移動することが規制される。また、カーラー部１０に対して相対的にノズル部３０が基端側に移動してノズル部３０がカーラー部１０から脱落することは、吐出部２３によって規制される。
【００４４】
ただし、ノズル部３０はカーラー部１０に対して相対的に基端側に移動可能（摺動可能）となっている。すなわち、カーラー部１０及びノズル部３０の軸方向において、嵌合リブ３８が嵌合スライド溝１８に対して摺動可能となっている。このため、ノズル部３０を基端側に押し込むことによって、ノズル部３０により吐出部２３が貯留本体２１側に押し込まれ、吐出部２３からノズル部３０にスタイリング剤が吐出されるようになっている。
図３（ａ）、（ｂ）、図５（ａ）、（ｂ）には、ノズル部３０が押し込まれていない通常時の状態が示されている一方で、図１１（ａ）及び（ｂ）には、ノズル部３０が押し込まれた状態が示されている。
【００４５】
このように、貯留部２０は、ヘアスタイリング剤を貯留する貯留本体２１と、貯留本体２１からヘアスタイリング剤を吐出する吐出部２３と、を有し、吐出部２３が貯留本体２１に対して押し込まれることによって吐出部２３からヘアスタイリング剤が吐出されるように構成されている。また、ノズル部３０は、一端部（基端部の軸受部３５）が吐出部２３に接続されており、ノズル部３０が押し込まれることにより、ノズル部３０がカーラー部１０に対して摺動するとともに、ノズル部３０が吐出部２３を貯留本体２１に対して押し込む。
【００４６】
ここで、流路３７は吐出部２３から先端側に延びているとともに、一の流路３７に対して設けられている複数の吹出口３１は、吐出部２３からの距離が互いに異なる位置に配置されている。そして、各吹出口３１に供給されるスタイリング剤の圧力は、吐出部２３から吹出口３１までの距離が遠くなるほど弱くなる。
【００４７】
そこで、本実施形態では、各吹出口３１から髪に対するスタイリング剤の吹き付け強さを均一化するため、吐出部２３から遠い吹出口３１の方が、巻付部１３に巻き付けられた髪の近くに配置されるようになっている。
上述のように、ノズル部３０を構成するノズルカバー４０は、基端側から先端側に向けて徐々に拡径しているため、ノズル部３０の基端から遠い位置に配置されている吹出口３１ほど、ノズル部３０の軸心から遠くに位置していることになる。これにより、吐出部２３から遠い吹出口３１の方が、巻付部１３に巻き付けられた髪の近くに配置される構成が実現されている。
すなわち、ノズル部３０は、貯留部２０から吐出されるヘアスタイリング剤を吹き出す複数の吹出口３１を有し、複数の吹出口３１には、第１吹出口と、第１吹出口よりも貯留部２０から遠い位置に配置されている第２吹出口と、が含まれ、第２吹出口と巻付部１３に巻き付けられた髪との距離が、第１吹出口と巻付部に巻き付けられた髪との距離よりも短い。
【００４８】
ここで、図１２に示すように、一の流路３７に対して設けられた４つの吹出口３１のうち、最も基端側の吹出口３１を吹出口３１ａ、基端側から２番目の吹出口３１を吹出口３１ｂ、基端側から３番目の吹出口３１を吹出口３１ｃ、最も先端側の吹出口３１を吹出口３１ｄと称することとする。
例えば、吹出口３１ａを第１吹出口とした場合、吹出口３１ｂ、吹出口３１ｃ又は吹出口３１ｄが第２吹出口となる。
また、図１３（ａ）〜（ｄ）には、図１２のＡ−Ａ線、Ｂ−Ｂ線、Ｃ−Ｃ線及びＤ−Ｄ線に沿った断面がそれぞれ示され、且つ、巻付部１３の各櫛歯支持部１６を包絡する仮想の包絡円筒面１３ａが示されている。巻付部１３に巻き付けられた髪と吹出口３１との距離は、この包絡円筒面１３ａと各吹出口３１との距離と考えることができる。
すなわち、図１３（ａ）に示すように、巻付部１３に巻き付けられた髪と吹出口３１ａとの距離は距離Ｄ１と考えることができ、図１３（ｂ）に示すように、巻付部１３に巻き付けられた髪と吹出口３１ｂとの距離は距離Ｄ２と考えることができ、図１３（ｃ）に示すように、巻付部１３に巻き付けられた髪と吹出口３１ｃとの距離は距離Ｄ３と考えることができ、図１３（ｄ）に示すように、巻付部１３に巻き付けられた髪と吹出口３１ｄとの距離は距離Ｄ４と考えることができる。
ここで、Ｄ１＞Ｄ２＞Ｄ３＞Ｄ４である。このため、各吹出口３１ａ〜３１ｄから髪に対するスタイリング剤の吹き付け強さを均一化すること（吹き付け強さの差を低減すること）ができる。
【００４９】
ここで、巻付部１３に巻き付けられた髪と吹出口３１との距離は、特に限定されないが、例えば、１ｍｍ以上２０ｍｍ以下とすることができる。また、巻付部１３に巻き付けられた髪と第１吹出口との距離と、巻付部１３に巻き付けられた髪と第２吹出口との距離との差は、特に限定されないが、例えば、１ｍｍ以上１６ｍｍ以下とすることができる。
【００５０】
更に、本実施形態では、各吹出口３１から髪に対するスタイリング剤の吹き付け強さ及び吹き付け面積を均一化するため、吐出部２３から遠い吹出口３１の方が、開口面積が大きくなっている。
すなわち、ノズル部３０は、貯留部２０から吐出されるヘアスタイリング剤を吹き出す複数の吹出口３１を有し、複数の吹出口３１には、第１吹出口と、第１吹出口よりも貯留部２０から遠い位置に配置されている第２吹出口と、が含まれ、第２吹出口の開口面積が、第１吹出口の開口面積よりも大きい。
例えば、吹出口３１ａを第１吹出口とした場合、吹出口３１ｂ、吹出口３１ｃ又は吹出口３１ｄが第２吹出口となる。
本実施形態の場合、例えば、吹出口３１ａの内径よりも吹出口３１ｂの内径が大きく、吹出口３１ｃの内径が吹出口３１ｂの内径と同じであり、吹出口３１ｄの内径が吹出口３１ｂ及び３１ｃの内径よりも大きい。
このため、吹出口３１ａ及び吹出口３１ｂから髪に対するスタイリング剤の吹き付け強さを均一化すること（吹き付け強さの差を低減すること）ができる。同様に、吹出口３１ａ及び吹出口３１ｃから髪に対するスタイリング剤の吹き付け強さを均一化することができる。同様に、吹出口３１ｂ及び吹出口３１ｄから髪に対するスタイリング剤の吹き付け強さを均一化することができる。同様に、吹出口３１ｃ及び吹出口３１ｄから髪に対するスタイリング剤の吹き付け強さを均一化することができる。
【００５１】
吹出口３１の内径は、特に限定されないが、例えば、２ｍｍ以下とすることができる。吹出口３１の内径の下限値は、吹出口３１を形成可能な範囲の大きさで、且つ、スタイリング剤を吹き出し可能な大きさであれば、特に限定されないが、例えば、０．１ｍｍ以上とすることができる。
また、第１吹出口の内径と第２吹出口との内径の差は、特に限定されないが、例えば、１ｍｍ以下とすることができる。また、第１吹出口の内径と第２吹出口との内径の差の下限値は、特に限定されないが、種々の計測方法により計測可能な大きさで、且つ、製造誤差よりも大きければよく、例えば、０．０５ｍｍ以上とすることができる。
なお、吹出口３１は、流路３７側からノズル部３０の外部側に向けてテーパー状に拡径する形状であっても良く、この場合、吹出口３１の内径は、吹出口３１における流路３７側の端部の内径とすることができる。
【００５２】
ここで、カーラー部１０、ノズル部３０及び固定リング７０により、ヘアスタイリング剤塗布用アタッチメント８０が構成されている。
すなわち、ヘアスタイリング剤塗布用アタッチメント８０は、ヘアスタイリング剤を貯留する貯留装置（貯留部２０）に装着して用いられるヘアスタイリング剤塗布用アタッチメント８０であって、髪が巻き付けられる巻付部を有するカーラー部１０と、貯留装置から吐出されるヘアスタイリング剤を巻付部１３に巻き付けられている髪に向けて吹き出すノズル部３０と、を備える。
また、ヘアスタイリング剤塗布用アタッチメント８０は、貯留装置（貯留部２０）に装着される装着部（固定リング７０）を更に備え、カーラー部１０が装着部と一体に組み付けられ、且つ、カーラー部１０によって貯留装置からのノズル部３０の脱落が規制される。
【００５３】
次に、本実施形態に係るヘアスタイリング方法を説明する。
本実施形態に係るヘアスタイリング方法は、カーラー（カーラー部１０）の周囲に髪を巻き付ける工程と、カーラーに巻き付けられている髪に向けて、カーラーの内側からヘアスタイリング剤を吹き出す工程と、を含む。
このヘアスタイリング方法を行うための器具は特に限定されないが、例えば、上述のヘアスタイリング剤塗布装置１００を好適に用いることができる。
【００５４】
ヘアスタイリング剤塗布装置１００を用いてヘアスタイリングを行うには、先ず、図１４（ａ）及び（ｂ）に示すように、髪を巻付部１３に巻き付ける。
次に、髪を巻付部１３に巻き付けた状態で押圧部３４を押すことにより、貯留部２０からスタイリング剤を吐出させる。スタイリング剤は、ノズル部３０の連通孔３６を介して流路３７に流入し、複数の吹出口３１に分配され、各吹出口３１から吹き出される。
図１５に示すように、吹出口３１から吹き出されたスタイリング剤は、カーラー部１０の開口１４を介して、巻付部１３の外側に吹き付けられる。
すなわち、巻付部１３の内側から開口１４を介して髪にスタイリング剤を吹き付けることができる。これにより、極めて手軽に、髪にウェーブなどのスタイリングを施すことができる。
【００５５】
ここで、本実施形態では、髪が巻付部１３の形状に沿って内側から固まるようにできる。すなわち、巻付部１３に巻かれた髪の外側は、スタイリング剤を付着させずにサラサラの状態に維持しつつ、巻かれた髪の内側はヘアスタイリング剤により固めることが可能となる。
【００５６】
以上のような第１の実施形態によれば、ヘアスタイリング剤塗布装置１００は、髪が巻き付けられる巻付部１３を有するカーラー部１０と、貯留部２０と、貯留部２０から吐出されるヘアスタイリング剤を巻付部１３に巻き付けられている髪に向けて吹き出すノズル部３０と、を備え、ノズル部３０及びカーラー部１０が貯留部２０と一体に設けられている。
よって、極めて手軽にヘアスタイリングを行うことができる。
なお、特許文献１の技術とは異なり、髪に熱を加えなくても、容易にスタイリングを行うことができる。
【００５７】
また、第１の実施形態に係るヘアスタイリング方法によれば、カーラーの周囲に髪を巻き付ける工程と、カーラーに巻き付けられている髪に向けてカーラーの内側からヘアスタイリング剤を吹き出す工程と、を含むので、新規なヘアスタイリング方法を行うことができる。
【００５８】
〔第２の実施形態〕
次に、図１６を用いて、第２の実施形態に係るヘアスタイリング剤塗布装置１００を説明する。
図１６は、本実施形態に係るヘアスタイリング剤塗布装置１００の要部を示す断面図であり、図５（ａ）に相当する断面位置において、装着部１１、固定リング７０及びその周辺を示している。
本実施形態に係るヘアスタイリング剤塗布装置１００は、装着部１１及び固定リング７０の構造が上記の第１の実施形態に係るヘアスタイリング剤塗布装置１００と相違しており、その他の点では、上記の第１の実施形態に係るヘアスタイリング剤塗布装置１００と同様に構成されている。
【００５９】
本実施形態の場合、カーラー部１０が貯留部２０に対して回転可能となっている。すなわち、カーラー部１０が、貯留部２０に対して相対的に、軸周りに回転可能である。
より詳細には、固定リング７０の外周面にはネジ山７３が形成されておらず、その代わりに、係止溝７５が周回状に形成されている。
また、カーラー部１０の装着部１１にはネジ山１２及び係合凸部１９が形成されておらず、その代わりに、装着部１１は、固定リング７０の係止溝７５に対して係止される係止爪部８１が形成されている。係止爪部８１は、周回状に連続的に形成されていても良いし、間欠的に複数の係止爪部８１が形成されていても良い。
装着部１１ひいてはカーラー部１０は、係止爪部８１が係止溝７５に対して係止された状態で、貯留部２０に対して相対的に、軸周りに回転可能となっている。
【００６０】
第２の実施形態によれば、カーラー部１０が貯留部２０に対して回転可能であるため、貯留部２０に対して独立的にカーラー部１０を回転させることが可能となる。
よって、例えば、貯留部２０を片手で保持した状態で、カーラー部１０を貯留部２０に対して回転させることにより、カーラー部１０に髪を巻き付けることができる。
このため、貯留部２０を保持する手の手首を不自然な角度に曲げることなく、容易にカーラー部１０に髪を巻き付けることができる。
特に、髪の付け根近傍までをカーラー部１０に巻き付ける作業が容易となり、髪の付け根まで思い通りにスタイリングを行うことができる。
また、貯留部２０及びカーラー部１０を一定位置に安定して保持しながら、カーラー部１０のみを回転させて髪を巻き付けることができるため、カーラー部１０の回転によって吹出口３１の向きを調整でき、より髪の根元部にヘアスタイリング剤を噴霧することが可能である。
【００６１】
なお、第２の実施形態では、係止爪部８１と係止溝７５とにより構成された係止構造によって、カーラー部１０が貯留部２０に対して空回り可能な構成を実現する例を説明したが、カーラー部１０が貯留部２０に対して空回り可能な構成は、他の構造によっても実現できる。
【００６２】
〔第３の実施形態〕
次に、図１７を用いて、第３の実施形態に係るヘアスタイリング剤塗布装置１００を説明する。図１７は、図５（ｂ）に相当する断面位置を示している。
本実施形態に係るヘアスタイリング剤塗布装置１００は、カーラー部１０の構造が上記の第１の実施形態に係るヘアスタイリング剤塗布装置１００と相違しており、その他の点では、上記の第１の実施形態に係るヘアスタイリング剤塗布装置１００と同様に構成されている。
【００６３】
本実施形態の場合、ノズル部３０がカーラー部１０に対して回転可能となっている。すなわち、ノズル部３０が、カーラー部１０に対して相対的に、軸周りに回転可能である。
図１７に示すように、本実施形態の場合、ヘアスタイリング剤塗布装置１００は、カーラー部１０が嵌合スライド溝１８を有していないとともに、ノズル部３０が嵌合リブ３８を有していない。すなわち、ヘアスタイリング剤塗布装置１００は、嵌合スライド溝１８と嵌合リブ３８とにより構成される嵌合構造を備えていない。
ここで、ノズル部３０の軸受部３５は、貯留部２０の吐出部２３を軸受けしているため、貯留部２０に対して軸周りに回転可能である。
また、カーラー部１０は、ノズル部３０を軸受けする軸受部８５を有している。これにより、ノズル部３０は、カーラー部１０に対して軸周りに回転可能となっている。より詳細には、軸受部８５は、カーラー部１０の巻付部１３の先端部に設けられており、軸受部８５は、ノズル部３０の突出部３２に対して基端側に隣接している部分を軸受けしている。
なお、軸受部８５によって、カーラー部１０に対して相対的にノズル部３０が先端側に脱落することが規制されている（抜け止めされている）。ただし、ノズル部３０を貯留部２０側に押し込むことは許容されている。
【００６４】
第３の実施形態によれば、ノズル部３０がカーラー部１０に対して回転可能であるため、カーラー部１０に対して独立的にノズル部３０を回転させることが可能となる。
よって、カーラー部１０に髪を巻き付けた状態を維持しつつ、ノズル部３０をカーラー部１０に対して回転させることにより、吹出口３１の向きを調節することができる。つまり、カーラー部１０に対して髪を巻き付ける作業の開始時に、カーラー部１０に対する髪の巻き付けが完了した時点での吹出口３１の向きを先読みする必要が無く、カーラー部１０に髪を巻き付けた後で、吹出口３１の向きを所望の向きに調節することができる。
特に、ヘアスタイリング剤塗布装置１００が上記の指標部３３を備えていることにより、吹出口３１の向きを容易に判別できるため、カーラー部１０に髪を巻き付けた後での吹出口３１の向きの調節が容易となる。
【００６５】
なお、第３の実施形態の構造は、第２の実施形態のようにカーラー部１０が貯留部２０に対して回転可能となっている構造と組み合わせることも好ましい。
【００６６】
〔第４の実施形態〕
次に、図１８及び図１９を用いて第４の実施形態を説明する。
本実施形態に係るヘアスタイリング剤塗布装置１００は、以下に説明する点で、上記の第１の実施形態に係るヘアスタイリング剤塗布装置１００と相違しており、その他の点では、上記の第１の実施形態に係るヘアスタイリング剤塗布装置１００と同様に構成されている。
【００６７】
図１８（ａ）及び（ｂ）に示すように、本実施形態の場合、ノズル部３０の構造が第１の実施形態と大きく異なっている。本実施形態の場合、ノズル部３０は、直線状の管状の本体部３９ａと、本体部３９ａの先端から分枝している複数の分枝部３９ｂと、を備えている。
本体部３９ａの基端部に軸受部３５が設けられている。
各分枝部３９ｂは弧状に延在する管状に形成されている。各分枝部３９ｂは、本体部３９ａの先端から更に先端側に向かった後、折り返して基端側に向かう形状（例えばＪ字形状）となっている。
流路３７は、本体部３９ａの内部から各分枝部３９ｂの内部に亘って連続的に形成されている。流路３７において、各分枝部３９ｂの内部の部分は、分枝流路３７ａと称することとする。
【００６８】
ノズル部３０は、本体部３９ａが巻付部１３の内部に挿通され、軸受部３５が吐出部２３に外嵌されている。この状態で、各分枝部３９ｂは、巻付部１３の先端から突出している。各分枝部３９ｂにおいて、巻付部１３から突出している部分は、それぞれ折り返して基端側に延び、巻付部１３に沿って、巻付部１３の周囲に配置されている。
分枝部３９ｂの数は特に限定されないが、図１８及び図１９の例では、６つとなっている。複数の分枝部３９ｂは、本体部３９ａの周囲に放射状に配置されている。
また、各分枝部３９ｂには、複数の吹出口３１が形成されている。各吹出口３１は、本体部３９ａの方に向けて（つまりノズル部３０の内向きに）開口している。
【００６９】
なお、本実施形態の場合、巻付部１３には開口１４が形成されていなくても良い。この場合、櫛歯支持部１６は、１つの筒状（例えば円筒状）の部分となる。
【００７０】
本実施形態の場合、図１９に示すように、巻付部１３の周囲に髪を巻き付けた際に、分枝部３９ｂが髪の周囲に位置する。よって、カーラー部１０の巻付部１３に巻き付けられている髪に向けて、カーラー部１０の周囲から内向きにヘアスタイリング剤を吹き出して、髪に塗布することができる。
【００７１】
上記の各実施形態において、ヘアスタイリング剤塗布装置１００の各構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００７２】
＜吹出口の形状のバリエーション＞
次に、図２０（ａ）〜（ｃ）を用いて、ノズル部３０の吹出口３１の形状のバリエーションを説明する。
図２０（ａ）に示すように、吹出口３１は、流路３７側からノズル部３０の外部側に亘って内径が一定のストレート形状であっても良い。
また、図２０（ｂ）に示すように、吹出口３１は、流路３７側からノズル部３０の外部側に向けて内径がテーパー状に拡径する形状であっても良い。図２０（ｂ）の場合、吹出口３１から吹き出されるスタイリング剤が広がる範囲が、図２０（ａ）の場合と比べて広くなる。
また、図２０（ｃ）に示すように、吹出口３１は、流路３７側からノズル部３０の外部側に向けて内径が徐々に拡大するラッパ型であっても良い。すなわち、吹出口３１の内径が拡大する割合が、流路３７側からノズル部３０の外部側に向けて徐々に大きくなっていても良い。この場合、吹出口３１から吹き出されるスタイリング剤が広がる範囲は、主として、吹出口３１における流路３７側の端部の形状に依存する。図２０（ｃ）の例では、スタイリング剤が広がる範囲の広さは、図２０（ａ）図２０（ｂ）との中間の広さとなる。
図２０（ｂ）及び（ｃ）において、吹出口３１の広がり角度は、適宜に設定することができる。
吹出口３１の各種の形状は、スタイリング剤の性状やスタイリングの目的などに応じて適宜に設定される。
【００７３】
本発明は上述の実施形態に限定されるものではなく、本発明の目的が達成される限りにおける種々の変形、改良等の態様も含む。
例えば、上記の第１の実施形態では、巻付部１３に巻き付けられた髪と吹出口３１との距離と、吹出口３１の開口面積とが調節されていることによって、各吹出口３１から髪に対するスタイリング剤の吹き付け強さが均等化されている例を説明したが、吹出口３１どうしの間隔が調節されていることによって、複数の吹出口３１から髪に対するスタイリング剤の吹き付け量（単位面積あたりの吹きつけ量）が均等化されていても良い。
また、第１から第３の実施形態では、流路３７が直線状である例を説明したが、流路３７は螺旋状の形状に形成されていても良い。この場合、一の流路３７に対して、ノズル部３０の周方向における複数箇所の各々に吹出口３１を設けることができる。
また、第１から第４の実施形態では、一の流路３７に対して複数の吹出口３１が設けられている例を説明したが、個々の吹出口３１に対応して個別の流路３７が設けられていてもよい。
【００７４】
また、上記の各実施形態では、ノズル部３０及びカーラー部１０が貯留部２０と一体に設けられている場合に、第２吹出口と巻付部１３に巻き付けられた髪との距離が、第１吹出口と巻付部１３に巻き付けられた髪との距離よりも短い構成を説明したが、本発明は、この例に限らない。
すなわち、本発明は、毛髪用塗布剤を貯留する貯留部と、貯留部から吐出される毛髪用塗布剤を吹き出すノズル部と、毛髪用塗布剤の塗布対象となる毛髪に対するノズル部の位置合わせを行うためのガイド部と、を備え、ノズル部は、貯留部から吐出される毛髪用塗布剤を吹き出す複数の吹出口を有し、複数の吹出口には、第１吹出口と、第１吹出口よりも貯留部から遠い位置に配置されている第２吹出口と、が含まれ、第２吹出口とガイド部との距離が、第１吹出口とガイド部との距離よりも短い毛髪用塗布剤塗布装置を提供する。
ここで、毛髪用塗布剤は、スタイリング剤の他、染毛剤などであっても良い。
ガイド部は、上述の巻付部１３のようなものであっても良いし、毛髪または体表（頭皮など）にあてがわれる棒状のものなどであっても良い。
吐出口（第１吐出口、第２吐出口）とガイド部との距離は、ガイド部が巻付部１３のようなものである場合は、図１３に示す包絡円筒面１３ａと吹出口３１との距離Ｄ１〜Ｄ４とすることができる。
【００７５】
また、上記の各実施形態では、ノズル部３０及びカーラー部１０が貯留部２０と一体に設けられている場合に、第２吹出口の開口面積が、第１吹出口の開口面積よりも大きい構成を説明したが、本発明は、この例に限らない。
すなわち、本発明は、毛髪用塗布剤を貯留する貯留部と、貯留部から吐出される毛髪用塗布剤を吹き出すノズル部と、を備え、ノズル部は、貯留部から吐出される毛髪用塗布剤を吹き出す複数の吹出口を有し、複数の吹出口には、第１吹出口と、第１吹出口よりも貯留部から遠い位置に配置されている第２吹出口と、が含まれ、第２吹出口の開口面積が、第１吹出口の開口面積よりも大きい毛髪用塗布剤塗布装置を提供する。
この場合も、毛髪用塗布剤は、スタイリング剤の他、染毛剤などであっても良い。
【００７６】
また、上記の各実施形態では、ノズル部３０及びカーラー部１０が貯留部２０と一体に設けられている場合に、ノズル部３０が巻付部１３の内側に配置され、ノズル部３０が巻付部１３の外側にヘアスタイリング剤を吹き出す構成を説明したが、本発明は、この例に限らない。
すなわち、本発明は、髪が巻き付けられる巻付部１３を有するカーラー部１０と、ヘアスタイリング剤を貯留する貯留部２０と、貯留部２０から吐出されるヘアスタイリング剤を、巻付部１３に巻き付けられている髪に向けて吹き出すノズル部３０と、を備え、ノズル部３０は、巻付部１３の内側に配置され、巻付部１３の外側に前記ヘアスタイリング剤を吹き出すヘアスタイリング剤塗布装置を提供する。
【００７７】
上記実施形態は、以下の技術思想を包含する。
＜１＞髪が巻き付けられる巻付部を有するカーラー部と、ヘアスタイリング剤を貯留する貯留部と、前記貯留部から吐出される前記ヘアスタイリング剤を、前記巻付部に巻き付けられている髪に向けて吹き出すノズル部と、を備え、前記ノズル部及び前記カーラー部が前記貯留部と一体に設けられているヘアスタイリング剤塗布装置。
＜２＞前記ノズル部は、前記貯留部から吐出される前記ヘアスタイリング剤を吹き出す複数の吹出口を有し、前記複数の吹出口には、第１吹出口と、前記第１吹出口よりも前記貯留部から遠い位置に配置されている第２吹出口と、が含まれ、前記第２吹出口と前記巻付部に巻き付けられた髪との距離が、前記第１吹出口と前記巻付部に巻き付けられた髪との距離よりも短い＜１＞に記載のヘアスタイリング剤塗布装置。
＜３＞前記ノズル部は、前記貯留部から吐出される前記ヘアスタイリング剤を吹き出す複数の吹出口を有し、前記複数の吹出口には、第１吹出口と、前記第１吹出口よりも前記貯留部から遠い位置に配置されている第２吹出口と、が含まれ、前記第２吹出口の開口面積が、前記第１吹出口の開口面積よりも大きい＜１＞又は＜２＞に記載のヘアスタイリング剤塗布装置。
＜４＞前記ノズル部は、前記巻付部の内側に配置され、前記巻付部の外側に前記ヘアスタイリング剤を吹き出す＜１＞から＜３＞のいずれか一項に記載のヘアスタイリング剤塗布装置。
＜５＞前記ノズル部は、前記貯留部から吐出される前記ヘアスタイリング剤を吹き出す吹出口と、前記巻付部から突出している突出部と、を有し、前記突出部は、前記吹出口の位置を示す指標部を有している＜４＞に記載のヘアスタイリング剤塗布装置。
＜６＞前記カーラー部は、前記貯留部に対して回転可能である＜１＞１から＜５＞のいずれか一項に記載のヘアスタイリング剤塗布装置。
＜７＞前記ノズル部は、前記カーラー部に対して回転可能である＜１＞から＜６＞のいずれか一項に記載のヘアスタイリング剤塗布装置。
＜８＞前記ノズル部は、前記貯留部から吐出される前記ヘアスタイリング剤を吹き出す吹出口と、前記貯留部から吐出される前記ヘアスタイリング剤を前記吹出口に供給する流路と、を備え、一の前記流路に対して、複数の前記吹出口が設けられている＜１＞から＜７＞のいずれか一項に記載のヘアスタイリング剤塗布装置。
＜９＞前記貯留部は、前記ヘアスタイリング剤を貯留する貯留本体と、前記貯留本体から前記ヘアスタイリング剤を吐出する吐出部と、を有し、前記吐出部が前記貯留本体に対して押し込まれることによって前記吐出部から前記ヘアスタイリング剤が吐出されるように構成されており、前記ノズル部は、一端部が前記吐出部に接続されており、前記ノズル部が押し込まれることにより、前記ノズル部が前記カーラー部に対して摺動するとともに、前記ノズル部が前記吐出部を前記貯留本体に対して押し込む＜１＞から＜８＞のいずれか一項に記載のヘアスタイリング剤塗布装置。
＜１０＞ヘアスタイリング剤を貯留する貯留装置に装着して用いられるヘアスタイリング剤塗布用アタッチメントであって、髪が巻き付けられる巻付部を有するカーラー部と、前記貯留装置から吐出される前記ヘアスタイリング剤を、前記巻付部に巻き付けられている髪に向けて吹き出すノズル部と、を備えるヘアスタイリング剤塗布用アタッチメント。
＜１１＞前記貯留装置に装着される装着部を更に備え、前記カーラー部が前記装着部と一体に組み付けられ、且つ、前記カーラー部によって前記貯留装置からの前記ノズル部の脱落が規制される＜１０＞に記載のヘアスタイリング剤塗布用アタッチメント。
＜１２＞カーラーの周囲に髪を巻き付ける工程と、前記カーラーに巻き付けられている髪に向けて、前記カーラーの内側からヘアスタイリング剤を吹き出す工程と、を含むヘアスタイリング方法。
＜１３＞毛髪用塗布剤を貯留する貯留部と、前記貯留部から吐出される前記毛髪用塗布剤を吹き出すノズル部と、前記毛髪用塗布剤の塗布対象となる毛髪に対する前記ノズル部の位置合わせを行うためのガイド部と、を備え、前記ノズル部は、前記貯留部から吐出される前記毛髪用塗布剤を吹き出す複数の吹出口を有し、前記複数の吹出口には、第１吹出口と、前記第１吹出口よりも前記貯留部から遠い位置に配置されている第２吹出口と、が含まれ、前記第２吹出口と前記ガイド部との距離が、前記第１吹出口と前記ガイド部との距離よりも短い毛髪用塗布剤塗布装置。
＜１４＞毛髪用塗布剤を貯留する貯留部と、前記貯留部から吐出される前記毛髪用塗布剤を吹き出すノズル部と、を備え、前記ノズル部は、前記貯留部から吐出される前記毛髪用塗布剤を吹き出す複数の吹出口を有し、前記複数の吹出口には、第１吹出口と、前記第１吹出口よりも前記貯留部から遠い位置に配置されている第２吹出口と、が含まれ、前記第２吹出口の開口面積が、前記第１吹出口の開口面積よりも大きい毛髪用塗布剤塗布装置。
＜１５＞髪が巻き付けられる巻付部を有するカーラー部と、ヘアスタイリング剤を貯留する貯留部と、前記貯留部から吐出される前記ヘアスタイリング剤を、前記巻付部に巻き付けられている髪に向けて吹き出すノズル部と、を備え、前記ノズル部は、前記巻付部の内側に配置され、前記巻付部の外側に前記ヘアスタイリング剤を吹き出すヘアスタイリング剤塗布装置。
【符号の説明】
【００７８】
１０  カーラー部
１１  装着部
１２  ネジ山
１３  巻付部
１３ａ  仮想の包絡円筒面
１４  開口
１５  櫛歯
１６  櫛歯支持部
１７  連結環
１８  嵌合スライド溝
１８ａ  ストッパ部
１９  係合凸部
２０  貯留部（貯留装置）
２１  貯留本体
２２  固定部
２３  吐出部
３０  ノズル部
３１、３１ａ、３１ｂ、３１ｃ、３１ｄ  吹出口
３２  突出部
３３  指標部
３４  押圧部
３５  軸受部
３６  連通孔
３７  流路
３７ａ  分枝流路
３８  嵌合リブ
３８ａ  先端
３９ａ  本体部
３９ｂ  分枝部
４０  ノズルカバー
４１  カバー本体
４２  カバー側リブ
４３  流路構成溝
４４  突条
４５  段差面
５０  ノズルコア
５１  コア本体
５２  嵌合リブ
５４  嵌合溝
５５  段差面
６０  ノズルボタン
６１  ボタン本体
６２  ボタン側リブ
６４  嵌合溝
６５  段差面
７０  固定リング（装着部）
７１  リング本体
７２  嵌合溝
７３  ネジ山
７４  係合凹部
７５  係止溝
８１  係止爪部
８５  軸受部
８０  ヘアスタイリング剤塗布用アタッチメント
１００  ヘアスタイリング剤塗布装置
【図１】
0006695737.tif 000002
【図２】
0006695737.tif 000003
【図３】
0006695737.tif 000004
【図４】
0006695737.tif 000005
【図５】
0006695737.tif 000006
【図６】
0006695737.tif 000007
【図７】
0006695737.tif 000008
【図８】
0006695737.tif 000009
【図９】
0006695737.tif 000010
【図１０】
0006695737.tif 000011
【図１１】
0006695737.tif 000012
【図１２】
0006695737.tif 000013
【図１３】
0006695737.tif 000014
【図１４】
0006695737.tif 000015
【図１５】
0006695737.tif 000016
【図１６】
0006695737.tif 000017
【図１７】
0006695737.tif 000018
【図１８】
0006695737.tif 000019
【図１９】
0006695737.tif 000020
【図２０】
0006695737.tif 000021